(57)【要約】【課題】サービス実現のために不足する機器に関する情報を提示するレコメンド方法などを提供する。【解決手段】本開示のレコメンド方法は、サービスを識別するサービスＩＤと、ユーザを識別するユーザＩＤと、位置情報とを受信し、サービスＩＤと、サービスを実現するために必要な機器の機器種別との対応情報である第一対応情報２２１に基づき、受信したサービスＩＤに対応する必要機器の機器種別である必要機器種別を特定し、ユーザＩＤと、ユーザが利用可能な機器の機器種別と、機器が設置される位置情報との対応情報である第二対応情報２２２に基づき、ユーザＩＤおよび位置情報から、ユーザが利用可能な機器種別である利用可能機器種別を特定し、必要機器種別と利用可能機器種別とに基づき、必要機器種別に含まれ且つ利用可能機器種別に含まれない機器種別を、サービスを実現する際に不足する不足機器種別として特定し、特定した不足機器種別を出力する。【選択図】図１０
2018018223.tif 000002
【特許請求の範囲】
【請求項１】
サービスを識別するサービスＩＤと、ユーザを識別するユーザＩＤと、位置情報とを受信し、
前記サービスＩＤと、前記サービスを実現するために必要な機器の機器種別との対応情報である第一対応情報に基づき、受信した前記サービスＩＤに対応する必要機器の前記機器種別である必要機器種別を特定し、
前記ユーザＩＤと、前記ユーザが利用可能な機器の前記機器種別と、前記機器が設置される位置情報との対応情報である第二対応情報に基づき、受信した前記ユーザＩＤと、受信した前記位置情報から、前記ユーザが利用可能な前記機器種別である利用可能機器種別を特定し、
特定した前記必要機器種別と前記利用可能機器種別とに基づき、前記必要機器種別に含まれ且つ前記利用可能機器種別に含まれない前記機器種別を、前記サービスを実現する際に不足する不足機器種別として特定し、
特定した前記不足機器種別を出力する
レコメンド方法。
【請求項２】
さらに、特定した前記不足機器種別を表示する
請求項１に記載のレコメンド方法。
【請求項３】
さらに、
前記不足機器種別とその機器の位置情報との対応情報から、前記不足機器種別の機器が利用可能な位置情報を特定し、
前記不足機器種別の前記機器の位置情報を表示する
請求項１に記載のレコメンド方法。
【請求項４】
さらに、
前記不足機器種別とその機器がレンタル可能な位置情報との対応情報から、前記不足機器種別の機器がレンタル可能な位置情報を特定し、
前記不足機器種別の前記機器がレンタル可能な前記位置情報を表示する
請求項１に記載のレコメンド方法。
【請求項５】
さらに、
前記不足機器種別とその機器を購入可能なＥＣサイトとの対応情報から、前記不足機器種別の機器を購入可能なＥＣサイトを特定し、
前記不足機器種別の前記機器が購入可能な前記ＥＣサイトを表示する
請求項１に記載のレコメンド方法。
【請求項６】
さらに、
前記不足機器種別とその機器をレンタル可能なＥＣサイトとの対応情報から、前記不足機器種別の機器をレンタル可能なＥＣサイトを特定し、
前記不足機器種別の前記機器がレンタル可能な前記ＥＣサイトを表示する
請求項１に記載のレコメンド方法。
【請求項７】
サービスを識別するサービスＩＤと、ユーザを識別するユーザＩＤと、位置情報とを受信する受信部と、
（ｉ）前記サービスＩＤ、および、前記サービスを実現するために必要な機器の機器種別の対応情報である第一対応情報と、（ｉｉ）前記ユーザＩＤ、前記ユーザが利用可能な機器の機器種別、および、前記機器が設置される位置情報の対応情報である第二対応情報と、をそれぞれ記憶する記憶部と、
前記第一対応情報に基づき、前記受信部により受信された前記サービスＩＤに対応する必要機器の前記機器種別である必要機器種別を特定する必要機器特定部と、
前記第二対応情報に基づき、前記受信部により受信された前記ユーザＩＤと、前記受信部により受信された前記位置情報とから、前記ユーザが利用可能な前記機器種別である利用可能機器種別を特定する利用可能機器特定部と、
前記必要機器特定部が特定した前記必要機器種別と、前記利用可能機器特定部が特定した前記利用可能機器種別とに基づき、前記必要機器種別に含まれ且つ前記利用可能機器種別に含まれない前記機器種別を、前記サービスを実現する際に不足する不足機器種別として特定する不足機器特定部と、
前記不足機器特定部が特定した前記不足機器種別を出力する出力部と、を備える
レコメンド装置。
【発明の詳細な説明】
【技術分野】
【０００１】
本開示は、レコメンド方法およびレコメンド装置に関する。特に、所定のサービスを実現するために必要な機器を提示するレコメンド方法およびレコメンド装置に関する。
【背景技術】
【０００２】
近年、複数機器の連携による複合サービスが浸透しつつあり、より高度なサービスを実現するニーズが高まっている。
【０００３】
従来、複数の機器の連携によりサービスを実現するレコメンド装置に関連する技術として、特許文献１に記載の技術がある。
【先行技術文献】
【特許文献】
【０００４】
【特許文献１】特開２００９−２０７０９１号公報
【発明の概要】
【発明が解決しようとする課題】
【０００５】
しかし、従来の技術では、ユーザは、ユーザが利用可能な機器で実現できるサービスは享受できるが、サービスを実現するために必要な機器が不足する場合、サービスを享受できない。
【０００６】
本開示は、サービスを実現するために不足する機器の情報を出力するレコメンド方法などを提供する。
【課題を解決するための手段】
【０００７】
上記課題を解決するため、本開示の一態様に係るレコメンド方法は、サービスを識別するサービスＩＤと、ユーザを識別するユーザＩＤと、位置情報とを受信し、前記サービスＩＤと、前記サービスを実現するために必要な機器の機器種別との対応情報である第一対応情報に基づき、受信した前記サービスＩＤに対応する必要機器の前記機器種別である必要機器種別を特定し、前記ユーザＩＤと、前記ユーザが利用可能な機器の前記機器種別と、前記機器が設置される位置情報との対応情報である第二対応情報に基づき、受信した前記ユーザＩＤと、受信した前記位置情報から、前記ユーザが利用可能な前記機器種別である利用可能機器種別を特定し、特定した前記必要機器種別と前記利用可能機器種別とに基づき、前記必要機器種別に含まれ且つ前記利用可能機器種別に含まれない前記機器種別を、前記サービスを実現する際に不足する不足機器種別として特定し、特定した前記不足機器種別を出力する。
【０００８】
なお、これらの包括的又は具体的な態様は、装置、システム、集積回路、コンピュータプログラム、又は、記録媒体で実現されてもよい。あるいは、装置、システム、集積回路、コンピュータプログラム及び記録媒体の任意な組み合わせで実現されてもよい。
【発明の効果】
【０００９】
本開示の一態様によれば、サービスを実現するために不足する機器の情報を出力するレコメンド方法などを提供できる。
【図面の簡単な説明】
【００１０】
【図１】図１は、実施の形態１に係るレコメンドシステムの概略図である。
【図２】図２は、実施の形態１に係る携帯端末のハードウェア構成の一例を示すブロック図である。
【図３】図３は、実施の形態１に係るレコメンド装置のハードウェア構成の一例を示すブロック図である。
【図４Ａ】図４Ａは、実施の形態１に係る機器のハードウェア構成の一例を示すブロック図である。
【図４Ｂ】図４Ｂは、実施の形態１に係る機器のハードウェア構成の一例を示すブロック図である。
【図４Ｃ】図４Ｃは、実施の形態１に係る機器のハードウェア構成の一例を示すブロック図である。
【図５】図５は、実施の形態１に係るレコメンドシステムの機能構成の一例を示すブロック図である。
【図６】図６は、実施の形態１に係る第一対応情報の一例を示す表である。
【図７】図７は、実施の形態１に係る第二対応情報の一例を示す表である。
【図８Ａ】図８Ａは、実施の形態１に係る、不足機器種別と、不足機器種別の機器が利用可能な位置情報、または、不足機器種別の機器がレンタル可能な位置情報との対応情報の一例を示す表である。
【図８Ｂ】図８Ｂは、実施の形態１に係る、不足機器種別と、不足機器種別の機器が購入またはレンタル可能なＥＣサイトとの対応情報の一例を示す表である。
【図９】図９は、実施の形態１に係るレコメンドシステムにおける登録処理を示すフローチャートである。
【図１０】図１０は、実施の形態１に係るレコメンドシステムにおけるレコメンド方法の一例を示すシーケンス図である。
【図１１】図１１は、実施の形態１に係る送信処理の一例を示すフローチャートである。
【図１２】図１２は、実施の形態１に係る必要機器種別の特定処理の一例を示すフローチャートである。
【図１３】図１３は、実施の形態１に係る利用可能機器種別の特定処理の一例を示すフローチャートである。
【図１４】図１４は、実施の形態１に係る不足機器種別の特定処理の一例を示すフローチャートである。
【図１５Ａ】図１５Ａは、実施の形態１に係るレコメンド方法において、携帯端末の表示部に表示するＵＩの一例を示す図である。
【図１５Ｂ】図１５Ｂは、実施の形態１に係るレコメンド方法において、携帯端末の表示部に表示するＵＩの一例を示す図である。
【図１５Ｃ】図１５Ｃは、実施の形態１に係るレコメンド方法において、携帯端末の表示部に表示するＵＩの一例を示す図である。
【図１５Ｄ】図１５Ｄは、実施の形態１に係るレコメンド方法において、携帯端末の表示部に表示するＵＩの一例を示す図である。
【図１５Ｅ】図１５Ｅは、実施の形態１に係るレコメンド方法において、携帯端末の表示部に表示するＵＩの一例を示す図である。
【図１５Ｆ】図１５Ｆは、実施の形態１に係るレコメンド方法において、携帯端末の表示部に表示するＵＩの一例を示す図である。
【図１５Ｇ】図１５Ｇは、実施の形態１に係るレコメンド方法において、携帯端末の表示部に表示するＵＩの一例を示す図である。
【図１５Ｈ】図１５Ｈは、実施の形態１に係るレコメンド方法において、携帯端末の表示部に表示するＵＩの一例を示す図である。
【図１６】図１６は、実施の形態２に係るレコメンドシステム１Ａの概略図である。
【図１７】図１７は、実施の形態２に係るレコメンドシステムの機能構成の一例を示すブロック図である。
【図１８】図１８は、実施の形態２に係る第一対応情報の一例を示す表である。
【図１９】図１９は、実施の形態２に係る第二対応情報の一例を示す表である。
【図２０Ａ】図２０Ａは、実施の形態２に係る、不足機器種別と、不足機器種別の機器が利用可能な位置情報、または、不足機器種別の機器がレンタル可能な位置情報との対応情報の一例を示す表である。
【図２０Ｂ】図２０Ｂは、実施の形態２に係る、不足機器種別と、不足機器種別の機器が購入またはレンタル可能なＥＣサイトとの対応情報の一例を示す表である。
【図２１】図２１は、実施の形態２に係る送信処理の一例を示すフローチャートである。
【図２２Ａ】図２２Ａは、実施の形態２に係るレコメンド方法において、携帯端末の表示部に表示するＵＩの一例を示す図である。
【図２２Ｂ】図２２Ｂは、実施の形態２に係るレコメンド方法において、携帯端末の表示部に表示するＵＩの一例を示す図である。
【図２２Ｃ】図２２Ｃは、実施の形態２に係るレコメンド方法において、携帯端末の表示部に表示するＵＩの一例を示す図である。
【図２２Ｄ】図２２Ｄは、実施の形態２に係るレコメンド方法において、携帯端末の表示部に表示するＵＩの一例を示す図である。
【発明を実施するための形態】
【００１１】
本開示の一態様に係るレコメンド方法は、サービスを識別するサービスＩＤと、ユーザを識別するユーザＩＤと、位置情報とを受信し、前記サービスＩＤと、前記サービスを実現するために必要な機器の機器種別との対応情報である第一対応情報に基づき、受信した前記サービスＩＤに対応する必要機器の前記機器種別である必要機器種別を特定し、前記ユーザＩＤと、前記ユーザが利用可能な機器の前記機器種別と、前記機器が設置される位置情報との対応情報である第二対応情報に基づき、受信した前記ユーザＩＤと、受信した前記位置情報から、前記ユーザが利用可能な前記機器種別である利用可能機器種別を特定し、特定した前記必要機器種別と前記利用可能機器種別とに基づき、前記必要機器種別に含まれ且つ前記利用可能機器種別に含まれない前記機器種別を、前記サービスを実現する際に不足する不足機器種別として特定し、特定した前記不足機器種別を出力する。
【００１２】
この構成によれば、ユーザが、指定したサービスを受けようとした場合、サービスを受けるために必要な機器や情報について、システムが検出して、ユーザで保持している機器・情報で足りないものを提案することができ、ユーザに対して、あるサービスを受けるために必要な機器をすべて保持していない場合でも、必要な機器や代替手段を提案することによって、ユーザにとって有効なサービスを提供することができる。
【００１３】
また、例えば、本開示の一態様に係るレコメンド方法は、さらに、特定した前記不足機器種別を表示してもよい。
【００１４】
これにより、ユーザは、視覚的にサービスを実現するために不足する機器の前記機器種別を把握できる。
【００１５】
また、例えば、本開示の一態様に係るレコメンド方法は、さらに、前記不足機器種別とその機器の位置情報との対応情報から、前記不足機器種別の機器が利用可能な位置情報を特定し、前記不足機器種別の前記機器の位置情報を表示してもよい。
【００１６】
これにより、ユーザは、不足機器種別の機器が利用可能な位置情報を視覚的に把握できる。
【００１７】
また、例えば、本開示の一態様に係るレコメンド方法は、さらに、前記不足機器種別とその機器がレンタル可能な位置情報との対応情報から、前記不足機器種別の機器がレンタル可能な位置情報を特定し、前記不足機器種別の前記機器がレンタル可能な前記位置情報を表示してもよい。
【００１８】
これにより、ユーザは、不足機器種別の機器がレンタル可能な位置情報を視覚的に把握できる。
【００１９】
また、例えば、本開示の一態様に係るレコメンド方法は、さらに、前記不足機器種別とその機器を購入可能なＥＣサイトとの対応情報から、前記不足機器種別の機器を購入可能なＥＣサイトを特定し、前記不足機器種別の前記機器が購入可能な前記ＥＣサイトを表示してもよい。
【００２０】
これにより、ユーザは、不足機器種別の機器が購入可能なＥＣサイトから、当該機器を探す手間を省くことができる。このため、ユーザは、不足機器種別の機器を容易に購入できる。
【００２１】
また、例えば、本開示の一態様に係るレコメンド方法は、さらに、前記不足機器種別とその機器をレンタル可能なＥＣサイトとの対応情報から、前記不足機器種別の機器をレンタル可能なＥＣサイトを特定し、前記不足機器種別の前記機器がレンタル可能な前記ＥＣサイトを表示してもよい。
【００２２】
これにより、ユーザは、不足機器種別の機器がレンタル可能なＥＣサイトから、当該機器を探す手間を省くことができる。このため、ユーザは、不足機器種別の機器を容易にレンタルできる。
【００２３】
なお、これらの全般的または具体的な態様は、装置、システム、集積回路、コンピュータプログラムまたはコンピュータ読み取り可能なＣＤ−ＲＯＭなどの記録媒体で実現されてもよく、装置、システム、集積回路、コンピュータプログラムおよび記録媒体の任意な組み合わせで実現されてもよい。
【００２４】
以下、本開示の一態様に係るレコメンド方法およびレコメンド装置について、図面を参照しながら詳細に説明する。
【００２５】
なお、以下で説明する実施の形態は、いずれも包括的または具体的な例を示している。以下の実施の形態で示される数値、形状、材料、構成要素、構成要素の配置および接続形態、ステップ、ステップの順序などは、一例であり、本開示を限定する主旨ではない。本明細書において説明される種々の態様は、矛盾が生じない限り互いに組み合わせることが可能である。また、以下の実施の形態における構成要素のうち、最上位概念を示す独立請求項に記載されていない構成要素については、任意の構成要素として説明される。以下の説明において、実質的に同じまたは類似する機能を有する構成要素は共通の参照符号で示し、説明を省略することがある。
【００２６】
（実施の形態１）
以下、図１〜図１３を用いて、実施の形態１を説明する。
【００２７】
［１−１．構成］
図１は、実施の形態１に係るレコメンドシステム１の概略図である。
【００２８】
具体的には、図１において、携帯端末１００、レコメンド装置２００、通信ネットワーク３００、移動通信システムの基地局３１０、ルータ３２０、３３０、および機器４００、４１０、４２０、４３０が示されている。例えば、レコメンドシステム１は、これらの構成要素のうち、携帯端末１００およびレコメンド装置２００を備える。
【００２９】
レコメンドシステム１は、携帯端末１００にサービスを実現するために不足している機器を提示するためのシステムである。本実施の形態では、クラウド上の機器管理アプリが、住宅５００、店舗（図示せず）、施設５１０にある機器４００、４１０、４２０、４３０の情報を収集する。ユーザは、携帯端末１００のアプリで、受けたいサービスを選択する。レコメンド装置２００は、選択されたサービスを受けるために必要な機器もしくは情報を抽出して、ユーザが保持している機器では、当該サービスを実現するために必要な機器が不足している場合に、当該サービスを受けるための手段を提供する。
【００３０】
サービスの具体例として、電動シャッタの自動制御について、説明する。
【００３１】
［１−１−１．携帯端末］
携帯端末１００のハードウェア構成について図２を用いて説明する。
【００３２】
図２は、実施の形態１に係る携帯端末のハードウェア構成の一例を示すブロック図である。
【００３３】
図２に示すように、携帯端末１００は、コンピュータ１０１、通信ＩＦ１０２、ＧＰＳモジュール１０３、ディスプレイ１０４および入力ＩＦ１０５を備える。携帯端末１００は、例えば、スマートフォン、タブレット端末などの通信可能な情報端末である。
【００３４】
コンピュータ１０１は、携帯端末１００を動作させるための制御プログラムを実行するプロセッサと、制御プログラムを実行するときに使用するワークエリアとして用いられる揮発性の記憶領域（主記憶装置）と、制御プログラム、コンテンツなどを記憶している不揮発性の記憶領域（補助記憶装置）とを有する。揮発性の記憶領域は、例えば、ＲＡＭ（Ｒａｎｄｄｏｍ  Ａｃｃｅｓｓ  Ｍｅｍｏｒｙ）である。不揮発性の記憶領域は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）などである。
【００３５】
通信ＩＦ１０２は、通信ネットワーク３００を介してレコメンド装置２００と通信する通信インタフェースである。つまり、通信ＩＦ１０２は、通信ネットワーク３００に通信接続できる通信インタフェースであればよい。具体的には、通信ＩＦ１０２は、移動通信システムの基地局３１０との通信接続、または、ルータ３２０との通信接続により、通信ネットワーク３００と通信接続する通信インタフェースである。通信ＩＦ１０２は、例えば、ＩＥＥＥ８０２．１１ａ、ｂ、ｇ、ｎ規格に適合した無線ＬＡＮ（Ｌｏｃａｌ  Ａｒｅａ  Ｎｅｔｗｏｒｋ）インタフェースであってもよいし、第３世代移動通信システム（３Ｇ）、第４世代移動通信システム（４Ｇ）、または、ＬＴＥ（登録商標）などのような移動通信システムで利用される通信規格に適合した無線通信インタフェースであってもよい。
【００３６】
なお、通信ＩＦ１０２は、他の携帯端末との通信接続により、通信ネットワーク３００と通信接続する通信インタフェースであってもよい。この場合、例えば、通信ＩＦ１０２は、無線ＬＡＮインタフェースであってもよいし、Ｂｌｕｅｔｏｏｔｈ（登録商標）規格に適合した無線通信インタフェースであってもよい。
【００３７】
ＧＰＳモジュール１０３は、ＧＰＳ（Ｇｌｏｂａｌ Ｐｏｓｉｔｉｏｎｉｎｇ Ｓｙｓｔｅｍ）衛星からの信号を受信することにより携帯端末１００の位置を推定するモジュールである。
【００３８】
ディスプレイ１０４は、コンピュータ１０１での処理結果を表示する表示装置である。ディスプレイ１０４は、例えば、液晶ディスプレイ、有機ＥＬディスプレイである。
【００３９】
入力ＩＦ１０５は、例えば、ディスプレイ１０４の表面に配置され、ディスプレイ１０４に表示されるＵＩ（Ｕｓｅｒ  Ｉｎｔｅｒｆａｃｅ）へのユーザからの入力を受け付けるタッチパネルである。入力ＩＦ１０５は、例えば、テンキーやキーボードなどの入力装置であってもよい。
【００４０】
［１−１−２．レコメンド装置］
次に、レコメンド装置２００のハードウェア構成について図３を用いて説明する。
【００４１】
図３は、実施の形態に係るレコメンド装置のハードウェア構成の一例を示すブロック図である。
【００４２】
図３に示すように、レコメンド装置２００は、コンピュータ２０１および通信ＩＦ２０２を備える。レコメンド装置２００は、例えば、サーバである。レコメンド装置２００は、複数の装置で構成されていてもよい。
【００４３】
コンピュータ２０１は、レコメンド装置２００を動作させるための制御プログラムを実行するプロセッサと、制御プログラムを実行するときに使用するワークエリアとして用いられる揮発性の記憶領域（主記憶装置）と、制御プログラム、コンテンツなどを記憶している不揮発性の記憶領域（補助記憶装置）とを有する。揮発性の記憶領域は、例えば、ＲＡＭである。不揮発性の記憶領域は、例えば、ＲＯＭ、フラッシュメモリ、ＨＤＤなどである。なお、コンピュータ２０１で用いられる制御プログラムは、後述するレコメンド方法に係る演算を行うプログラムを含む。
【００４４】
通信ＩＦ２０２は、通信ネットワーク３００を介して携帯端末１００および機器４００、４１０、４２０、４３０と通信する通信インタフェースである。通信ＩＦ２０２は、例えば、有線ＬＡＮインタフェースである。なお、通信ＩＦ２０２は、無線ＬＡＮインタフェースであってもよい。また、通信ＩＦ２０２は、ＬＡＮインタフェースに限らずに、通信ネットワーク３００との通信接続を確立できる通信インタフェースであれば、どのような通信インタフェースであってもよい。
【００４５】
［１−１−３．機器］
次に、機器４００、４２０のハードウェア構成について図４Ａを用いて説明する。
【００４６】
図４Ａは、実施の形態１に係る機器のハードウェア構成の一例を示すブロック図である。
【００４７】
図４Ａに示すように、機器４００は、コンピュータ４０１、通信ＩＦ４０２、モータ４０３およびシャッタ４０４を備える。同様に、機器４２０は、コンピュータ４２１、通信ＩＦ４２２、モータ４２３およびシャッタ４２４を備える。機器４００は、住宅５００に設けられ、機器４２０は、施設５１０に設けられる。機器４００、４２０は、シャッタの開閉を電動で行う電動シャッタである。機器４００、４２０は、例えば、住宅５００、施設５１０などの建物の窓の外側に設置される窓シャッタであり、防災、防犯などのために設置される電動シャッタである。なお、機器４００と機器４２０との各構成は、互いに同じであるので、以下では、機器４００の構成について説明し、機器４２０の構成の説明を省略する。
【００４８】
コンピュータ４０１は、機器４００を動作させるための制御プログラムを実行するプロセッサと、制御プログラムを記憶している不揮発性のメモリを有する。コンピュータ４０１は、例えば、マイクロコンピュータである。
【００４９】
通信ＩＦ４０２は、ルータ３２０に通信接続することで、通信ネットワーク３００を介してレコメンド装置２００と通信する通信インタフェースである。つまり、通信ＩＦ４０２は、ルータ３２０に通信接続できる通信インタフェースであればよく、例えば、ＩＥＥＥ８０２．１１ａ、ｂ、ｇ、ｎ規格に適合した無線ＬＡＮ（Ｌｏｃａｌ  Ａｒｅａ  Ｎｅｔｗｏｒｋ）インタフェースであってもよいし、Ｂｌｕｅｔｏｏｔｈ（登録商標）規格に適合した無線通信インタフェースであってもよいし、Ｚｉｇｂｅｅ（登録商標）規格に適合した通信無線インタフェースであってもよい。なお、通信ＩＦ４２２は、ルータ３３０に通信接続できる通信インタフェースであればよい。
【００５０】
モータ４０３は、シャッタ４０４を開閉するためのアクチュエータである。モータ４０３は、図示しない電源から電力により回転し、回転することによりシャッタ４０４を開閉する。
【００５１】
シャッタ４０４は、建物の窓の外側を覆うシャッタである。シャッタ４０４は、モータ４０３が回転することにより電動で開閉される。
【００５２】
図４Ｂは、実施の形態１に係る機器のハードウェア構成の一例を示すブロック図である。
【００５３】
図４Ｂに示すように、機器４１０は、コンピュータ４１１、通信ＩＦ４１２および人感センサ４１３を備える。機器４１０は、住宅５００に設けられる。機器４１０は、通信機能を有するセンサモジュールである。
【００５４】
コンピュータ４１１は、機器４１０を動作させるための制御プログラムを実行するプロセッサおよび当該制御プログラムを記憶している不揮発性のメモリを有する。コンピュータ４１１は、例えば、マイクロコンピュータである。
【００５５】
通信ＩＦ４１２は、ルータ３２０に通信接続することで、通信ネットワーク３００を介してレコメンド装置２００と通信する通信インタフェースである。つまり、通信ＩＦ４１２は、ルータ３２０に通信接続できる通信インタフェースであればよく、通信ＩＦ４０２と同様の構成であればよい。
【００５６】
人感センサ４１３は、人の所在を検出するセンサである。人感センサ４１３は、例えば、赤外線、超音波、可視光などを出力し、出力した赤外線、超音波、可視光などの人による反射波を検出することにより、人の所在を検出する。
【００５７】
機器４１０では、コンピュータ４１１が人感センサ４１３による検出結果を取得し、取得した検出結果を通信ＩＦ４１２を介してレコメンド装置２００に送信する。人感センサ４１３は、所定の周期で人の所在を検出し、コンピュータ４１１は、所定の周期で検出された検出結果を通信ＩＦ４１２を介してレコメンド装置２００に送信する。
【００５８】
図４Ｃは、実施の形態１に係る機器のハードウェア構成の一例を示すブロック図である。
【００５９】
図４Ｃに示すように、機器４３０は、コンピュータ４３１、通信ＩＦ４３２および照度センサ４３３を備える。機器４３０は、施設５１０に設けられる。機器４３０は、通信機能を有するセンサモジュールである。
【００６０】
コンピュータ４３１は、機器４３０を動作させるための制御プログラムを実行するプロセッサおよび当該制御プログラムを記憶している不揮発性のメモリを有する。コンピュータ４３１は、例えば、マイクロコンピュータである。
【００６１】
通信ＩＦ４３２は、ルータ３３０に通信接続することで、通信ネットワーク３００を介してレコメンド装置２００と通信する通信インタフェースである。つまり、通信ＩＦ４３２は、ルータ３３０に通信接続できる通信インタフェースであればよく、通信ＩＦ４２２と同様の構成であればよい。
【００６２】
照度センサ４３３は、照度を検出するセンサである。照度センサ４３３は、設置位置における環境の照度を検出する。
【００６３】
［１−１−４．通信ネットワーク］
次に、図１を参照して通信ネットワークの構成について説明する。
【００６４】
通信ネットワーク３００は、携帯端末１００、レコメンド装置２００およびルータ３２０、３３０が互いに通信するための通信ネットワークである。通信ネットワーク３００は、インターネットのような汎用のネットワークであってもよいし、レコメンドシステム１の専用のネットワークであってもよい。
【００６５】
［１−１−５．ルータ］
ルータ３２０、３３０は、携帯端末１００および機器４００、４１０、４２０、４３０と通信可能である。ルータ３２０は、住宅５００に設けられ、ルータ３３０は、施設５１０に設けられる。ルータ３２０は、インターネットなどの通信ネットワーク３００を介してレコメンド装置２００と通信可能である。そして、ルータ３２０は、機器４００、４１０と通信し、かつ、通信ネットワーク３００を介してレコメンド装置２００と通信することにより、機器４００、４１０とレコメンド装置２００との間の通信を中継する。ルータ３２０は、例えば、機器４００、４１０と無線通信を行い、レコメンド装置２００と有線通信を行う。
【００６６】
また、ルータ３３０は、機器４２０、４３０と通信し、かつ、通信ネットワーク３００を介してレコメンド装置２００と通信することにより、機器４２０、４３０とレコメンド装置２００との間の通信を中継する。ルータ３３０は、例えば、機器４２０、４３０と無線通信を行い、レコメンド装置２００と有線通信を行う。
【００６７】
また、ルータ３２０は、携帯端末１００と通信が可能である。ルータ３２０は、例えば、携帯端末１００と無線通信を行う。なお、ルータ３３０も、携帯端末１００と通信が可能であるため、ルータ３２０と同様に、携帯端末１００と通信してもよい。
【００６８】
［１−２．レコメンドシステムの機能構成］
次に、レコメンドシステム１の機能構成について図５を用いて説明する。
【００６９】
図５は、実施の形態１に係るレコメンドシステムの機能構成の一例を示すブロック図である。
【００７０】
まず、携帯端末１００の機能構成について説明する。
【００７１】
携帯端末１００は、機能構成として、通信部１１１と、制御部１１２と、入力部１１３と、表示部１１４と、位置取得部１１５とを備える。
【００７２】
通信部１１１は、通信ネットワーク３００を介してレコメンド装置２００との間で通信接続を確立し、レコメンド装置２００と通信を行う。通信部１１１は、制御部１１２により出力された情報をレコメンド装置２００に送信する。また、通信部１１１は、レコメンド装置２００から出力された情報を受信し、受信した情報を制御部１１２に出力する。通信部１１１は、例えば、コンピュータ１０１および通信ＩＦ１０２などにより実現される。
【００７３】
制御部１１２は、所定のアプリケーションとして機器管理アプリを実行する。制御部１１２は、機器管理アプリ上でのユーザ登録において、入力部１１３により入力された情報をユーザ情報として、通信部１１１に出力する。ユーザ情報は、ユーザを識別するユーザＩＤを含む。ユーザ情報は、ユーザを認証するためのパスワードなどの認証情報、ユーザの住所などを含んでいてもよい。制御部１１２は、機器管理アプリ上でのサービス選択において、入力部１１３により入力されたサービス情報を、通信部１１１に出力する。サービス情報は、サービスを識別するサービスＩＤを含む。
【００７４】
また、制御部１１２は、位置情報を位置取得部１１５から取得し、取得した位置情報を通信部１１１に出力する。制御部１１２は、機器管理アプリが起動される度に、位置取得部から位置情報を取得し、取得した位置情報を通信部に出力してもよい。また、制御部１１２は、所定の周期で位置取得部１１５から位置情報を取得してもよい。この場合、制御部１１２は、位置情報を取得する度に通信部１１１に出力してもよいし、異なる複数のタイミングで取得された位置情報を一旦メモリに蓄積し、メモリに蓄積した複数の位置情報を通信部１１１に出力してもよい。
【００７５】
また、制御部１１２は、機器管理アプリを実行することで、ユーザ登録やサービス選択のためのＧＵＩ（Ｇｒａｐｈｉｃ  Ｕｓｅｒ  Ｉｎｔｅｒｆａｃｅ）を生成し、当該ＧＵＩを表示部１１４に出力する。
【００７６】
また、制御部１１２は、通信部１１１がレコメンド装置２００から受信した情報に応じて、グラフィックを生成し、当該グラフィックを表示部１１４に出力する。具体的には、制御部１１２は、通信部１１１がレコメンド装置２００から受信した不足機器種別に応じて、当該不足機器種別を示すグラフィックを生成し、当該グラフィックを表示部に出力してもよい。また、制御部１１２は、通信部１１１がレコメンド装置２００から受信した、不足機器種別の機器が利用可能な位置情報を示すグラフィックを生成し、当該グラフィックを表示部に出力してもよい。また、制御部１１２は、通信部１１１がレコメンド装置２００から受信した、不足機器種別の機器がレンタル可能な位置情報を示すグラフィックを生成し、当該グラフィックを表示部１１４に出力してもよい。また、制御部１１２は、通信部１１１がレコメンド装置２００から受信した、不足機器種別の機器が購入可能なＥＣサイトを示すグラフィックを生成し、当該グラフィックを表示部１１４に出力してもよい。また、制御部１１２は、通信部１１１がレコメンド装置２００から受信した、不足機器種別の機器がレンタル可能なＥＣサイトを示すグラフィックを生成し、当該グラフィックを表示部１１４に出力してもよい。
【００７７】
制御部１１２は、例えば、コンピュータ１０１などにより実現される。
【００７８】
入力部１１３は、ユーザからの入力を受け付ける。具体的には、入力部１１３は、制御部１１２により実行されている所定のアプリケーションに対するユーザからの入力を受け付ける。入力部１１３は、例えば、機器管理アプリへのユーザ登録に係る入力や、機器管理アプリにおいてサービスを選択するための入力を受け付ける。入力部１１３は、例えば、コンピュータ１０１および入力ＩＦ１０５などにより実現される。
【００７９】
表示部１１４は、制御部１１２により生成されたＧＵＩを表示する。また、表示部１１４は、制御部１１２により出力された、不足機器種別の機器が利用可能な位置情報、レンタル可能な位置情報、購入またはレンタル可能なＥＣサイトなどを示すグラフィックを表示する。表示部１１４は、例えば、コンピュータ１０１およびディスプレイ１０４などにより実現される。
【００８０】
位置取得部１１５は、携帯端末１００が位置する位置を示す位置情報を取得する。位置取得部１１５は、例えば、コンピュータ１０１およびＧＰＳモジュール１０３などにより実現される。
【００８１】
次に、レコメンド装置２００の機能構成について説明する。
【００８２】
レコメンド装置２００は、機能構成として、受信部２１１と、必要機器特定部２１３と、利用可能機器特定部２１４と、不足機器特定部２１５と、出力部２１６とを備える。レコメンド装置２００は、機能構成として、さらに、記憶部２１２を備えていてもよい。つまり、記憶部２１２は、レコメンド装置２００の外部に通信接続されていてもよい。
【００８３】
受信部２１１は、サービス情報と、ユーザ情報と、位置情報とを受信する。受信部２１１は、機器４００、４１０、４２０、４３０のそれぞれから、当該機器の状態を示す状態情報を受信してもよい。状態情報は、例えば、機器４００、４２０から受信した情報である場合には、シャッタの開閉状態を示す情報である。また、状態情報は、例えば、機器４１０から受信した情報である場合には、人の所在の検出状態である。また、状態情報は、例えば、機器４３０から受信した情報である場合には、周囲の明るさの検出状態を示す情報である。受信部２１１は、例えば、コンピュータ２０１および通信ＩＦ２０２などにより実現される。
【００８４】
記憶部２１２は、第一対応情報２２１と、第二対応情報２２２とをそれぞれ記憶している。ここで、第一対応情報２２１および第二対応情報２２２について、図６および図７を用いて説明する。
【００８５】
図６は、実施の形態１に係る第一対応情報の一例を示す表である。図７は、実施の形態１に係る第二対応情報の一例を示す表である。
【００８６】
第一対応情報２２１は、図６に示すように、サービスＩＤ、サービス名、および、サービスを実現するために必要な機器の機器種別の対応情報である。なお、第一対応情報２２１は、サービスを実現するために必要な機器が、サービス毎に対応づけられた情報であればよいので、上記のサービス名を含んでいなくてもよい。
【００８７】
第二対応情報２２２は、図７の（ａ）に示す、ユーザＩＤ、当該ユーザが利用可能な機器の機器ＩＤ（利用可能機器ＩＤ）の対応情報２２２ａと、図７の（ｂ）に示す、利用可能機器ＩＤ、利用可能な機器の機器種別、および当該機器が設置される位置情報の対応情報２２２ｂと、を含む対応情報である。なお、第二対応情報２２２は、対応情報２２２ａおよび対応情報２２２ｂに分割された情報であることに限らずに、ユーザＩＤ、利用可能な機器の機器種別、および、当該機器が設置される位置情報が対応づけられていれば、１つの対応情報で構成されていてもよい。
【００８８】
また、記憶部２１２は、さらに、不足機器種別と、不足機器種別の機器が利用可能な位置情報、または、不足機器種別の機器がレンタル可能な位置情報との対応情報２２３を記憶していてもよい。また、記憶部２１２は、さらに、不足機器種別と、不足機器種別の機器が購入またはレンタル可能なＥＣサイトとの対応情報２２４を記憶していてもよい。ここで、対応情報２２３、２２４について、図８Ａおよび図８Ｂを用いて説明する。
【００８９】
図８Ａは、実施の形態１に係る、不足機器種別と、不足機器種別の機器が利用可能な位置情報、または、不足機器種別の機器がレンタル可能な位置情報との対応情報の一例を示す表である。図８Ｂは、実施の形態１に係る、不足機器種別と、不足機器種別の機器が購入またはレンタル可能なＥＣサイトとの対応情報の一例を示す表である。
【００９０】
対応情報２２３は、図８Ａに示すように、施設を識別する施設ＩＤ、当該施設において利用可能な機器を識別する機器ＩＤ、当該機器の機器種別、および、当該機器が設置されている施設の位置情報の対応情報である。
【００９１】
対応情報２２４は、図８Ｂに示すように、機器種別、および、当該機器種別の機器を購入またはレンタル可能なＥＣサイトのＵＲＬの対応情報である。なお、対応情報２２３、２２４は、記憶部２１２に予め記憶されていなくてもよく、通信ネットワーク３００を介して、外部サーバから取得した情報であってもよい。
【００９２】
記憶部２１２は、例えば、コンピュータ２０１などにより実現される。
【００９３】
必要機器特定部２１３は、第一対応情報２２１に基づき、受信部２１１により受信されたサービスＩＤに対応する必要機器の機器種別である必要機器種別を特定する。必要機器特定部２１３は、例えば、コンピュータ２０１などにより実現される。
【００９４】
利用可能機器特定部２１４は、第二対応情報２２２に基づき、受信部２１１により受信されたユーザＩＤと、受信部２１１により受信された位置情報とから、ユーザが利用可能な機器種別である利用可能機器種別を特定する。利用可能機器特定部２１４は、例えば、コンピュータ２０１などにより実現される。
【００９５】
不足機器特定部２１５は、必要機器特定部２１３が特定した必要機器種別と、利用可能機器特定部２１４が特定した利用可能機器種別とに基づき、必要機器種別に含まれ且つ利用可能機器種別に含まれない機器種別を、サービスを実現する際に不足する不足機器種別として特定する。
【００９６】
また、不足機器特定部２１５は、さらに、対応情報２２３から、不足機器種別の機器が利用可能な位置情報を特定してもよい。また、不足機器特定部２１５は、さらに、対応情報２２３から、不足機器種別の機器がレンタル可能な位置情報を特定してもよい。不足機器種別のまた、不足機器特定部２１５は、さらに、対応情報２２４から、不足機器種別の機器を購入可能なＥＣサイトを特定してもよい。また、不足機器特定部２１５は、さらに、対応情報２２４から、不足機器種別の機器をレンタル可能なＥＣサイトを特定してもよい。
【００９７】
不足機器特定部２１５は、例えば、コンピュータ２０１などにより実現される。
【００９８】
出力部２１６は、不足機器特定部２１５が特定した不足機器種別を出力する。出力部２１６は、具体的には、不足機器種別を特定するのに用いられたユーザＩＤで識別されるユーザが所持している携帯端末１００に、不足機器種別を示す情報を、通信ネットワーク３００を介して送信する。
【００９９】
また、出力部２１６は、さらに、不足機器種別の機器が利用可能、または、レンタル可能な位置情報を出力してもよいし、不足機器種別の機器が購入可能またはレンタル可能なＥＣサイトを示す情報（ＵＲＬ：Ｕｎｉｆｏｒｍ  Ｒｅｓｏｒｃｅ  Ｌｏｃａｔｏｒ）を出力してもよい。
【０１００】
出力部２１６は、例えば、コンピュータ２０１および通信ＩＦ２０２などにより実現される。
【０１０１】
なお、機器４００、４１０、４２０、４３０のそれぞれは、対応する状態情報を所定の周期でレコメンド装置２００に送信する。また、機器４００、４１０、４２０、４３０のそれぞれは、機器４００、４１０、４２０、４３０を制御するための制御信号を受信してもよい。
【０１０２】
［１−３．動作］
次に、レコメンドシステム１の動作について、図９〜図１４、図１５Ａ〜図１５Ｈを用いて説明する。
【０１０３】
図９は、実施の形態１に係るレコメンドシステムにおける登録処理を示すフローチャートである。
【０１０４】
まず、ユーザは、携帯端末１００を操作することで、携帯端末１００に機器管理アプリを実行させる。これにより、携帯端末１００には、ユーザ登録および機器登録の登録処理が開始される。
【０１０５】
まず、携帯端末１００では、ユーザ情報の登録処理が行われる（Ｓ１１）。ユーザ情報の登録処理では、具体的には、制御部１１２は、ユーザ情報の登録をユーザに行わせるためのＵＩを生成し、生成したＵＩを表示部１１４に表示させる。これにより、制御部１１２は、ユーザにユーザ情報の入力を促す。ユーザ情報は、例えば、ユーザＩＤ、パスワード、住所などを含む情報である。
【０１０６】
次に、携帯端末１００では、機器情報の登録処理が行われる（Ｓ１２）。機器情報の登録処理では、具体的には、制御部１１２は、機器情報の登録をユーザに行わせるためのＵＩを生成し、生成したＵＩを表示部１１４に表示させる。これにより、制御部１１２は、ユーザに機器情報の入力を促す。機器情報は、例えば、機器ＩＤ、機器種別、当該機器が設置される位置情報などを含む。
【０１０７】
機器情報の登録処理では、ＵＩで表示される複数の選択肢の中から１つを選ぶことで、機器の機器種別を選択してもよい。例えば、ユーザＵの場合では、機器４００の登録を行うのに、複数の選択肢の中から「電動シャッタ」を選択することで、機器種別の入力を行う。機器が設置される位置情報としては、例えば、ユーザが機器種別の入力を行ったときに、携帯端末１００の位置取得部１１５が取得した位置情報が自動的に入力されてもよい。機器ＩＤとしては、機器種別の入力が行われた時に、ランダムに設定される情報であってもよいし、機器の型番をユーザに入力させることで、入力された型番に基づいて設定される情報であってもよいし、機器種別の他に機器が設置されている位置情報に基づいて設定される情報であってもよい。機器ＩＤは、一意に機器を識別する情報であればよい。
【０１０８】
このようにして、携帯端末１００では、制御部１１２は、機器情報の入力が行われると、入力されたユーザ情報および機器情報を対応づけて記憶する（Ｓ１３）。そして、通信部１１１は、ユーザ情報および機器情報が対応づけられた情報を第二対応情報２２２として、レコメンド装置２００に送信する。
【０１０９】
なお、ステップＳ１３の後に、携帯端末１００は、第二対応情報２２２としてユーザ情報および機器情報が対応づけられた情報をレコメンド装置２００に送信するとしたが、これに限らない。携帯端末１００は、例えば、ユーザ情報および機器情報のそれぞれを、それぞれの入力が終了する度に、レコメンド装置２００に送信してもよい。この場合には、ユーザ情報および機器情報のそれぞれには、同一のユーザから送信されたことが識別できる情報が含まれる。つまり、レコメンド装置２００は、同一のユーザから送信されたことが識別できる情報を用いることで、ユーザ情報および機器情報の対応付けを適切に行うことができる。
【０１１０】
また、登録処理では、必ずユーザ情報の登録処理が含まれるが、ユーザ情報の登録処理は、初回のみ行われることとしてもよい。この場合、２回目以降の登録処理では、ユーザＩＤおよびパスワードを受け付けることでユーザを認証するための処理がユーザ情報の登録処理の代わりに行われてもよい。
【０１１１】
次に、レコメンドシステム１におけるレコメンド方法について、図１０〜図１４、図１５Ａ〜図１５Ｈを用いて説明する。
【０１１２】
図１０は、実施の形態１に係るレコメンドシステムにおけるレコメンド方法の一例を示すシーケンス図である。図１１は、実施の形態１に係る送信処理の一例を示すフローチャートである。図１２は、実施の形態１に係る必要機器種別の特定処理の一例を示すフローチャートである。図１３は、実施の形態１に係る利用可能機器種別の特定処理の一例を示すフローチャートである。図１４は、実施の形態１に係る不足機器種別の特定処理の一例を示すフローチャートである。図１５Ａ〜図１５Ｈは、実施の形態１に係るレコメンド方法において、携帯端末の表示部に表示する各ＵＩの一例を示す図である。
【０１１３】
まず、携帯端末１００は、機器管理アプリにおいてサービスを選択するための入力を受け付け、当該入力により特定されるサービスＩＤを含むサービス情報を、ユーザＩＤを含むユーザ情報、および、位置情報とともに送信する（Ｓ２１）。具体的には、図１１に示す処理を行う。
【０１１４】
図１１に示すように、携帯端末１００の入力部１１３がユーザからの操作を受け付けることで、制御部１１２は、機器管理アプリを起動する（Ｓ３１）。
【０１１５】
そして、制御部１１２は、機器管理アプリを起動すると、図１５Ａに示すように機器管理アプリへのログインをするための入力を促すＵＩ１２１を表示部１１４に表示する（Ｓ３２）。
【０１１６】
制御部１１２は、入力部１１３がＵＩ１２１への入力を受け付けると、図１５Ｂに示すようにメニュー（サービス）を指定するための入力、および、当該サービスを実施する場所を示す位置情報を指定するための入力を受け付けるＵＩ１２２を表示する（Ｓ３３）。
【０１１７】
制御部１１２は、入力部１１３がＵＩ１２２への入力を受け付けると、当該入力によって特定したサービスＩＤを含むサービス情報、ユーザＩＤを含むユーザ情報および位置情報をレコメンド装置２００に送信する（Ｓ３４）。
【０１１８】
図１０のシーケンス図の説明に戻り、サービス情報、ユーザ情報および位置情報が送信されると、レコメンド装置２００では、受信部２１１がサービス情報、ユーザ情報および位置情報を受信する（Ｓ２２）。
【０１１９】
次に、レコメンド装置２００では、必要機器特定部２１３は、必要機器種別を特定する（Ｓ２３）。ステップＳ２３の必要機器種別の特定処理では、具体的には、図１２に示す処理を行う。
【０１２０】
図１２に示すように、必要機器特定部２１３は、ユーザにより指定されたサービスを識別するサービスＩＤを含むサービス情報を取得する（Ｓ４１）。
【０１２１】
次に、必要機器特定部２１３は、サービス情報に含まれるサービスＩＤと、第一対応情報２２１とを用いて、取得したサービスＩＤに第一対応情報２２１において対応づけられた機器種別を必要機器種別として特定する（Ｓ４２）。例えば、ユーザにより指定されたサービスが「電動シャッタ自動制御」であれば、必要機器特定部２１３は、図６に示す第一対応情報２２１を参照することで、「電動シャッタ自動制御」に対応づけられている機器種別である、「電動シャッタ」、「照度センサ」および「人感センサ」の３つの機器種別を必要機器種別として特定する。
【０１２２】
図１０のシーケンス図の説明に戻り、必要機器種別が特定されると、利用可能機器特定部２１４は、利用可能機器種別を特定する（Ｓ２４）。ステップＳ２４の利用可能機器種別の特定処理では、具体的には、図１３に示す処理を行う。
【０１２３】
図１３に示すように、利用可能機器特定部２１４は、ユーザＩＤを含むユーザ情報を取得する（Ｓ５１）。
【０１２４】
次に、利用可能機器特定部２１４は、ユーザ情報に含まれるユーザＩＤと、第二対応情報２２２とを用いて、取得したユーザＩＤに第二対応情報２２２において対応づけられた機器種別を利用可能機器種別として特定する（Ｓ５２）。例えば、ユーザのユーザＩＤが「Ｕ００００２」であれば、利用可能機器特定部２１４は、図７に示す第二対応情報２２２を参照することで、「Ｕ００００２」に対応づけられている機器種別である、「電動シャッタ」および「人感センサ」の２つの機器種別を利用可能機器種別として特定する。
【０１２５】
図１０のシーケンス図の説明に戻り、利用可能機器種別が特定されると、不足機器特定部２１５は、不足機器種別を特定する（Ｓ２５）。ステップＳ２５の不足機器種別の特定処理では、具体的には、図１４に示す処理を行う。
【０１２６】
図１４に示すように、不足機器特定部２１５は、必要機器特定部２１３で特定された必要機器種別と、利用可能機器特定部２１４で特定された利用可能機器種別とを比較する（Ｓ６１）。
【０１２７】
不足機器特定部２１５は、不足機器があるか否かを判定する（Ｓ６２）。具体的には、不足機器特定部２１５は、必要機器種別と、利用可能機器種別との比較の結果、必要機器種別に含まれ且つ利用可能機器種別に含まれない機器種別があるか否かを判定する。
【０１２８】
不足機器特定部２１５は、不足機器があると判定すれば（Ｓ５２でＹｅｓ）、不足機器を特定する（Ｓ６３）。
【０１２９】
例えば、不足機器特定部２１５は、必要機器種別として特定された、「電動シャッタ」、「照度センサ」および「人感センサ」の３つの機器種別と、利用可能機器種別として特定された、「電動シャッタ」および「人感センサ」の２つの機器種別とを比較することにより、「照度センサ」を不足機器種別として特定する。
【０１３０】
そして、不足機器特定部２１５は、さらに、不足機器の利用手段を取得してもよい（Ｓ６４）。例えば、不足機器特定部２１５は、特定した不足機器種別と、対応情報２２３、２２４とを用いて、不足機器種別の機器が利用可能な位置情報や、不足機器種別の機器がレンタル可能な位置情報、不足機器種別の機器を購入可能またはレンタル可能なＥＣサイトを、不足機器の利用手段として取得してもよい。なお、この場合、不足機器特定部２１５は、不足機器種別の機器が利用可能な位置情報、または、レンタル可能な位置情報のうち、受信部２１１により受信された位置情報から所定の範囲内（例えば半径５００ｍ以内）にある位置情報を、絞り込んで特定してもよい。これにより、ユーザの自宅近くの施設、店舗などの位置を提示できる。
【０１３１】
不足機器特定部２１５は、不足機器がないと判定すれば（Ｓ６２でＮｏ）、サービス用のコンテンツを生成する（Ｓ６５）。例えば、「電動シャッタ自動制御」の動作のＯＮ／ＯＦＦを操作するためのＵＩをサービス用のコンテンツとして生成する。
【０１３２】
図１０のシーケンス図の説明に戻り、不足機器の利用手段が取得される、または、サービス用のコンテンツが生成されると、出力部２１６は、不足機器の機器種別、または、サービス用のコンテンツを携帯端末１００に送信することで、当該不足機器の機器種別、または、サービス用のコンテンツを出力する（Ｓ２６）。なお、ステップＳ６４が行われていれば、不足機器の機器種別とともに不足機器の利用手段を携帯端末１００に送信してもよい。以下では、利用手段を取得した場合であっても、利用手段は、不足機器の機器種別に含まれる情報であるものとして説明する。
【０１３３】
携帯端末１００は、不足機器の機器種別（利用手段）、または、サービス用のコンテンツをレコメンド装置２００から受信し、受信した不足機器の機器種別、または、サービス用のコンテンツを表示部１１４に表示する（Ｓ２７）。
【０１３４】
携帯端末１００は、例えば図１５Ｃに示すように、不足機器の機器種別を示すＵＩ１２３を表示部１１４に表示する。この場合、携帯端末１００は、ＵＩ１２３において利用手段ボタン１２３ａへの入力を受け付けると、例えば図１５Ｄに示すように、不足機器の利用手段を示すＵＩ１２４を表示部１１４に表示する。
【０１３５】
また、携帯端末１００は、ＵＩ１２４において、地図ボタン１２４ａへの入力を受け付けると、例えば図１５Ｅに示すように、不足機器である照度センサがユーザの自宅近くで利用できる施設Ａ（図１の施設５１０）の位置を示す地図の画面１２５を表示部１１４に表示する。この場合、画面１２５において、利用ボタン１２５ａへの入力を受け付けると、施設Ａの照度センサを利用することを示す情報をレコメンド装置２００に送信する。レコメンド装置２００は、施設Ａの照度センサを利用することを示す情報受信すると、施設Ａの照度センサを利用することで電動シャッタ自動制御を行うことが可能となったＵＩを生成し、携帯端末１００に送信する。携帯端末１００は、例えば図１５Ｆに示すように、電動シャッタ自動制御を行うことが可能となったＵＩ１２６を表示部１１４に表示する。これにより、ユーザは、住宅５００の機器４００および機器４１０と共に、施設５１０の機器４３０を利用することで、電動シャッタ自動制御のサービスを利用できるようになる。
【０１３６】
また、携帯端末１００は、ＵＩ１２４において、Ｗｅｂボタン１２４ｂへの入力を受け付けると、例えば、図１５Ｇに示すように、不足機器である照度センサを購入可能またはレンタル可能なオンラインショップＢにおけるＷｅｂページ１２７を表示部１１４に表示する。また、携帯端末１００は、ＵＩ１２４において、地図ボタン１２４ｃへの入力を受け付けると、例えば図１５Ｈに示すように、不足機器である照度センサを購入可能またはレンタル可能な店舗Ｃの位置を示す地図の画面１２８を表示部１１４に表示する。
【０１３７】
［１−４．効果など］
本実施の形態に係るレコメンド方法によれば、サービスを識別するサービスＩＤと、ユーザを識別するユーザＩＤと、位置情報とを受信し、サービスＩＤと、サービスを実現するために必要な機器の機器種別との対応情報である第一対応情報２２１に基づき、受信したサービスＩＤに対応する必要機器の機器種別である必要機器種別を特定し、ユーザＩＤと、ユーザが利用可能な機器の機器種別と、機器が設置される位置情報との対応情報である第二対応情報２２２に基づき、受信したユーザＩＤと、受信した位置情報から、ユーザが利用可能な機器種別である利用可能機器種別を特定し、特定した必要機器種別と利用可能機器種別とに基づき、必要機器種別に含まれ且つ利用可能機器種別に含まれない機器種別を、サービスを実現する際に不足する不足機器種別として特定し、特定した不足機器種別を出力する。
【０１３８】
このため、ユーザが、指定したサービスを受けようとした場合、サービスを受けるために必要な機器や情報について、レコメンドシステム１が検出して、ユーザで保持している機器で足りないものを提案することができる。これにより、ユーザがあるサービスを受けるために必要な機器をすべて保持していない場合でも、必要な機器や代替手段をユーザに提案することによって、ユーザにとって有効なサービスを提供することができる。
【０１３９】
また、レコメンド方法において、さらに、特定した不足機器種別を表示する。これにより、ユーザは、視覚的にサービスを実現するために不足する機器の前記機器種別を把握できる。
【０１４０】
また、レコメンド方法において、さらに、不足機器種別とその機器の位置情報との対応情報２２３から、不足機器種別の機器が利用可能な位置情報を特定し、不足機器種別の機器の位置情報を表示する。これにより、ユーザは、不足機器種別の機器が利用可能な位置情報を視覚的に把握できる。
【０１４１】
また、レコメンド方法において、さらに、不足機器種別とその機器がレンタル可能な位置情報との対応情報２２３から、不足機器種別の機器がレンタル可能な位置情報を特定し、不足機器種別の機器がレンタル可能な位置情報を表示する。これにより、ユーザは、不足機器種別の機器がレンタル可能な位置情報を視覚的に把握できる。
【０１４２】
また、レコメンド方法において、さらに、不足機器種別とその機器を購入可能なＥＣサイトとの対応情報２２４から、不足機器種別の機器を購入可能なＥＣサイトを特定し、不足機器種別の機器が購入可能な前記ＥＣサイトを表示する。これにより、ユーザは、不足機器種別の機器が購入可能なＥＣサイトから、当該機器を探す手間を省くことができる。このため、ユーザは、不足機器種別の機器を容易に購入できる。
【０１４３】
また、レコメンド方法において、さらに、不足機器種別とその機器をレンタル可能なＥＣサイトとの対応情報から、不足機器種別の機器をレンタル可能なＥＣサイトを特定し、不足機器種別の機器がレンタル可能な前記ＥＣサイトを表示する。これにより、ユーザは、不足機器種別の機器がレンタル可能なＥＣサイトから、当該機器を探す手間を省くことができる。このため、ユーザは、不足機器種別の機器を容易にレンタルできる。
【０１４４】
（実施の形態２）
以下、図１６〜図２１、図２２Ａ〜図２２Ｄを用いて、実施の形態２を説明する。
【０１４５】
［２−１．構成］
図１６は、実施の形態２に係るレコメンドシステムの概略図である。
【０１４６】
本実施の形態では、実施の形態１と同様に、携帯端末１００にサービスを実現するために不足している機器を提示するためのシステムである。本実施の形態では、クラウド上の機器管理アプリが、住宅５００、店舗（図示せず）、および施設５２０にある機器４００Ａ、４１０Ａ、４２０Ａ、４３０Ａの情報を収集する。機器４００Ａ、４１０Ａは、住宅５００に設けられている。機器４２０Ａ、４３０Ａは、施設５２０に設けられている。なお、施設５２０は、例えば、スポーツジムなどの施設である。
【０１４７】
本実施の形態では、サービスの具体例がヘルスケアの場合のレコメンドシステム１Ａについて、説明する。
【０１４８】
なお、既に説明した実施の形態１と同様の構成要素については、同様の符号を付し、詳細な説明を省略することがある。
【０１４９】
本実施の形態では、サービスの具体例がヘルスケアの場合のレコメンドシステム１Ａについて、説明する。
【０１５０】
具体的には、図１６において、携帯端末１００、レコメンド装置２００Ａ、通信ネットワーク３００、移動通信システムの基地局３１０、ルータ３２０、３３０、および機器４００Ａ、４１０Ａ、４２０Ａ、４３０Ａが示されている。例えば、レコメンドシステム１Ａは、これらの構成要素のうち、携帯端末１００およびレコメンド装置２００を備える。つまり、実施の形態２のレコメンドシステム１Ａは、実施の形態１のレコメンドシステム１と比較して、レコメンド装置２００Ａおよび機器４００Ａ、４１０Ａ、４２０Ａ、４３０Ａが異なる。その他の構成は、実施の形態１と同様であるので、以下では、レコメンド装置２００Ａおよび機器４００Ａ、４１０Ａ、４２０Ａ、４３０Ａの構成について説明する。
【０１５１】
レコメンド装置２００Ａのハードウェア構成は、実施の形態１のレコメンド装置２００と同様であるので説明を省略する。
【０１５２】
また、機器４００Ａ、４１０Ａ、４２０Ａ、４３０Ａは、センサで検出した結果をコンピュータが通信ＩＦを用いて、通信ネットワーク３００を介してレコメンド装置２００Ａに送信する構成である。例えば、機器４００Ａ、４２０Ａは、ユーザがランニングした速度および距離を検出し、検出した速度および距離を示す情報を、ルータ３２０、３４０に通信接続することで、通信ネットワークを介してレコメンド装置２００Ａに送信するランニングマシーンである。また、例えば、機器４１０Ａは、ユーザの体重、体脂肪、骨格筋率などを測定し、測定した体重、体脂肪、骨格筋率など示す情報を、ルータ３２０に通信接続することで、通信ネットワークを介してレコメンド装置２００Ａに送信する体組成計である。また、例えば、機器４３０Ａは、ユーザがサイクリングした速度および距離を検出し、検出した速度および距離を示す情報を、ルータ３４０に通信接続することで、通信ネットワークを介してレコメンド装置２００Ａに送信するサイクリングマシーンである。
【０１５３】
なお、ルータ３４０は、ルータ３２０、３３０と同様の構成である。
【０１５４】
［２−２．レコメンドシステムの機能構成］
次に、レコメンドシステム１Ａの機能構成について図１７を用いて説明する。
【０１５５】
図１７は、実施の形態２に係るレコメンドシステムの機能構成の一例を示すブロック図である。
【０１５６】
レコメンド装置２００Ａは、実施の形態１のレコメンド装置２００と比較して記憶部２１２Ａが記憶している第一対応情報２２１Ａおよび第二対応情報２２２Ａが異なる。レコメンド装置２００Ａのその他の構成は、実施の形態１のレコメンド装置２００と同様であるので説明を省略する。
【０１５７】
ここで、第一対応情報２２１Ａおよび第二対応情報２２２Ａについて、図１８および図１９を用いて説明する。
【０１５８】
図１８は、実施の形態２に係る第一対応情報の一例を示す表である。図１９は、実施の形態２に係る第二対応情報の一例を示す表である。
【０１５９】
第一対応情報２２１Ａは、図１８に示すように、サービスＩＤ、サービス名、および、サービスを実現するために必要な機器の機器種別の対応情報である。第一対応情報２２１Ａは、情報の構成としては、図６の第一対応情報２２１と同様であり、情報の中身が第一対応情報２２１と異なる。つまり、第一対応情報２２１Ａは、ヘルスケアのサービスに関する情報である。
【０１６０】
第二対応情報２２２Ａは、図１９の（ａ）に示す、ユーザＩＤ、当該ユーザが利用可能な機器の機器ＩＤ（利用可能機器ＩＤ）の対応情報２２２Ａａと、図１９の（ｂ）に示す、利用可能機器ＩＤ、利用可能な機器の機器種別、および当該機器が設置される位置情報の対応情報２２２Ａｂと、を含む対応情報である。第二対応情報２２２Ａは、情報の構成としては、図７の第二対応情報２２２と同様であり、情報の中身が第二対応情報２２２と異なる。つまり、第二対応情報２２２Ａは、ヘルスケアのサービスに利用する機器に関する情報である。
【０１６１】
また、記憶部２１２Ａは、実施の形態１と同様に、さらに、不足機器種別と、不足機器種別の機器が利用可能な位置情報、または、不足機器種別の機器がレンタル可能な位置情報との対応情報２２３Ａを記憶していてもよい。また、記憶部２１２Ａは、さらに、不足機器種別と、不足機器種別の機器が購入またはレンタル可能なＥＣサイトとの対応情報２２４Ａを記憶していてもよい。ここで、対応情報２２３Ａ、２２４Ａの具体例を、図２０Ａおよび図２０Ｂに示す。
【０１６２】
図２０Ａは、実施の形態２に係る、不足機器種別と、不足機器種別の機器が利用可能な位置情報、または、不足機器種別の機器がレンタル可能な位置情報との対応情報の一例を示す表である。図２０Ｂは、実施の形態２に係る、不足機器種別と、不足機器種別の機器が購入またはレンタル可能なＥＣサイトとの対応情報の一例を示す表である。
【０１６３】
対応情報２２３Ａは、図２０Ａに示すように、施設を識別する施設ＩＤ、当該施設において利用可能な機器を識別する機器ＩＤ、当該機器の機器種別、および、当該機器が設置されている施設の位置情報の対応情報である。
【０１６４】
対応情報２２４Ａは、図２０Ｂに示すように、機器種別、および、当該機器種別の機器を購入またはレンタル可能なＥＣサイトのＵＲＬの対応情報である。なお、対応情報２２３、２２４は、記憶部２１２に予め記憶されていなくてもよく、通信ネットワーク３００を介して、外部サーバから取得した情報であってもよい。
【０１６５】
対応情報２２３Ａ、２２４Ａは、ヘルスケアのサービスに利用する機器に関する情報である。
【０１６６】
［２−３．動作］
次に、レコメンドシステム１Ａの動作について説明する。
【０１６７】
レコメンドシステム１Ａは、上述したとおり、実施の形態１のレコメンドシステム１と比較して、サービスの内容と、サービスに使用する機器とが異なる。また、レコメンド方法の送信処理において、携帯端末１００でユーザに入力させる情報が一部異なる。このため、以下では、送信処理について図２１を用いて説明し、実施の形態１と同様の処理については、携帯端末１００に表示される表示例を示す図２２Ａ〜図２２Ｄを用いてレコメンドシステム１Ａの動作について説明する。
【０１６８】
図２１は、実施の形態２に係る送信処理の一例を示すフローチャートである。図２２Ａ〜図２２Ｄは、実施の形態２に係るレコメンド方法において、携帯端末の表示部に表示する各ＵＩの一例を示す図である。
【０１６９】
まず、ユーザは、携帯端末１００などの通信端末を用いて、登録処理が済んでいるものとして説明する。登録処理は、実施の形態１と同様である。
【０１７０】
まず、Ｓ３１が行われることで、図２２Ａに示すようにヘルスケアアプリへのログインをするための入力を促すＵＩ１２１Ａを表示部１１４に表示する（Ｓ３２）。
【０１７１】
そして、制御部１１２は、入力部１１３がＵＩ１２１Ａへの入力を受け付けると、図２２Ｂに示すようにメニュー（サービス）を指定するための入力を受け付けるＵＩ１２２Ａを表示する（Ｓ３３ａ）。
【０１７２】
制御部１１２は、入力部１１３がＵＩ１２２Ａへの入力を受け付けると、当該入力によって特定したサービスＩＤを含むサービス情報、ユーザＩＤを含むユーザ情報および位置情報をレコメンド装置２００Ａに送信する（Ｓ３４ａ）。なお、この場合、携帯端末１００は、位置取得部１１５が取得した携帯端末１００の位置情報をレコメンド装置２００Ａに送信する。
【０１７３】
これにより、レコメンド装置２００Ａでは、ステップＳ２２〜ステップＳ２６の処理が行われる。具体的には、ユーザにより指定されたサービスが「ダイエット」であれば、必要機器特定部２１３は、第一対応情報２２１Ａが参照されることにより必要機器として、「体組成計」、「ランニングマシーン」および「サイクリングマシーン」の３つの機器種別を特定する。次に、利用可能機器特定部２１４は、第二対応情報２２２Ａを参照されることにより、利用可能機器として、「体組成計」および「ランニングマシーン」の２つの機器種別を特定する。次に、不足機器特定部２１５は、必要機器および利用可能機器を比較することにより、「サイクリングマシーン」を不足機器として特定する。最後に、出力部２１６は、不足機器の機器種別（利用手段）を携帯端末１００に送信する。
【０１７４】
携帯端末１００は、不足機器の機器種別をレコメンド装置２００から受信し、例えば図２２Ｃに示すように、不足機器の機器種別を示すＵＩ１２３Ａを表示部１１４に表示する（Ｓ２７）。この場合、携帯端末１００は、ＵＩ１２３Ａにおいて利用手段ボタン１２３Ａａへの入力を受け付けると、例えば図２２Ｄに示すように、不足機器の利用手段を示すＵＩ１２４Ａを表示部１１４に表示する。
【０１７５】
さらに、携帯端末１００は、ＵＩ１２４Ａにおいて、地図ボタン１２４Ａａへの入力を受け付けると、実施の形態１で説明した図１５Ｅの画面１２５のようなサイクリングマシーンの施設Ｄ（施設５２０）の位置を示す地図の画面を表示部１１４に表示してもよい。また、携帯端末１００は、ＵＩ１２４Ａにおいて、Ｗｅｂボタン１２４Ａｂへの入力を受け付けると、実施の形態１で説明した図１５ＧのＷｅｂページ１２７のようなサイクリングマシーンを購入可能またはレンタル可能なオンラインショップＥのＷｅｂページを表示部１１４に表示してもよい。また、携帯端末１００は、ＵＩ１２４Ａにおいて、地図ボタン１２４Ａｃへの入力を受け付けると、実施の形態１で説明した図１５Ｈの画面１２８のようなサイクリングマシーンを購入可能またはレンタル可能な店舗Ｆの位置を示す地図の画面を表示部１１４に表示してもよい。
【０１７６】
［３．変形例］
上記実施の形態２では、ユーザは、機器登録において、通信機能を有している機器を登録したが、通信機能を有していない機器を登録してもよい。例えば、ヘルスケアの場合には、ランニングマシーン、サイクリングマシーン、体組成計などは、通信機能を有していない機器であってもよい。また、通信機能を有していないダンベルなどの機器を登録してもよい。この場合、ユーザは、各機器を使用した結果（測定結果を含む）を携帯端末１００に手動で入力することにより、入力された結果がレコメンド装置２００に送信されるようにしてもよい。
【０１７７】
また、レコメンド装置等に含まれる各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。つまり、上記各実施の形態において、各構成要素は、専用のハードウェアで構成されるか、各構成要素に適したソフトウェアプログラムを実行することによって実現されてもよい。
【０１７８】
また、各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の表示制御方法などを実現するソフトウェアは、次のようなプログラムである。
【０１７９】
すなわち、このプログラムは、コンピュータに、サービスを識別するサービスＩＤと、ユーザを識別するユーザＩＤと、位置情報とを受信し、前記サービスＩＤと、前記サービスを実現するために必要な機器の機器種別との対応情報である第一対応情報に基づき、受信した前記サービスＩＤに対応する必要機器の前記機器種別である必要機器種別を特定し、前記ユーザＩＤと、前記ユーザが利用可能な機器の前記機器種別と、前記機器が設置される位置情報との対応情報である第二対応情報に基づき、受信した前記ユーザＩＤと、受信した前記位置情報から、前記ユーザが利用可能な前記機器種別である利用可能機器種別を特定し、特定した前記必要機器種別と前記利用可能機器種別とに基づき、前記必要機器種別に含まれ且つ前記利用可能機器種別に含まれない前記機器種別を、前記サービスを実現する際に不足する不足機器種別として特定し、特定した前記不足機器種別を出力するレコメンド方法を実行させる。
【０１８０】
以上、一つまたは複数の態様に係るレコメンド装置等について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０１８１】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１８２】
本開示は、ヘルスケア分野や電動シャッタなどのセンサを用いた機器制御に適用するレコメンド方法に好適である。
【符号の説明】
【０１８３】
１、１Ａ    レコメンドシステム
１００    携帯端末
１０１    コンピュータ
１０２    通信ＩＦ
１０３    ＧＰＳモジュール
１０４    ディスプレイ
１０５    入力ＩＦ
１１１    通信部
１１２    制御部
１１３    入力部
１１４    表示部
１１５    位置取得部
１２１〜１２４、１２６、１２１Ａ〜１２４Ａ    ＵＩ
１２５、１２８    画面
１２７    Ｗｅｂページ
２００、２００Ａ    レコメンド装置
２０１    コンピュータ
２０２    通信ＩＦ
２１１    受信部
２１２、２１２Ａ    記憶部
２１３    必要機器特定部
２１４    利用可能機器特定部
２１５    不足機器特定部
２１６    出力部
２２１、２２１Ａ    第一対応情報
２２２、２２２Ａ    第二対応情報
２２２ａ、２２２ｂ、２２２Ａａ、２２２Ａｂ    対応情報
２２３、２２３Ａ    対応情報
２２４、２２４Ａ    対応情報
３００    通信ネットワーク
３１０    基地局
３２０、３３０、３４０    ルータ
４００、４１０、４２０、４３０、４００Ａ、４１０Ａ、４２０Ａ、４３０Ａ    機器
４０１、４２１    コンピュータ
４０２、４２２    通信ＩＦ
４０３、４２３    モータ
４０４、４２４    シャッタ
４１１    コンピュータ
４１２    通信ＩＦ
４１３    人感センサ
４３１    コンピュータ
４３２    通信ＩＦ
４３３    照度センサ
５００    住宅
５１０、５２０    施設
【図１】
2018018223.tif 000003
【図２】
2018018223.tif 000004
【図３】
2018018223.tif 000005
【図４Ａ】
2018018223.tif 000006
【図４Ｂ】
2018018223.tif 000007
【図４Ｃ】
2018018223.tif 000008
【図５】
2018018223.tif 000009
【図６】
2018018223.tif 000010
【図７】
2018018223.tif 000011
【図８Ａ】
2018018223.tif 000012
【図８Ｂ】
2018018223.tif 000013
【図９】
2018018223.tif 000014
【図１０】
2018018223.tif 000015
【図１１】
2018018223.tif 000016
【図１２】
2018018223.tif 000017
【図１３】
2018018223.tif 000018
【図１４】
2018018223.tif 000019
【図１５Ａ】
2018018223.tif 000020
【図１５Ｂ】
2018018223.tif 000021
【図１５Ｃ】
2018018223.tif 000022
【図１５Ｄ】
2018018223.tif 000023
【図１５Ｅ】
2018018223.tif 000024
【図１５Ｆ】
2018018223.tif 000025
【図１５Ｇ】
2018018223.tif 000026
【図１５Ｈ】
2018018223.tif 000027
【図１６】
2018018223.tif 000028
【図１７】
2018018223.tif 000029
【図１８】
2018018223.tif 000030
【図１９】
2018018223.tif 000031
【図２０Ａ】
2018018223.tif 000032
【図２０Ｂ】
2018018223.tif 000033
【図２１】
2018018223.tif 000034
【図２２Ａ】
2018018223.tif 000035
【図２２Ｂ】
2018018223.tif 000036
【図２２Ｃ】
2018018223.tif 000037
【図２２Ｄ】
2018018223.tif 000038